(57)【要約】      （修正有）【課題】トイレットペーパーホルダーに取付けられたロールペーパーを所定量引き出して切断すると、ロールペーパーの外径部分の先端部より垂れ下がった状態でロールペーパーを切断することができ、次に使用する場合に、ロールペーパーより吊り下がった切断端部を簡単につまんで容易に引き出して切断使用することができる、安価で、容易に設置することができるトイレットペーパー切断具を提供する。【解決手段】トイレットペーパーホルダー２に取付けられたロールペーパー３の下端部より下部位置で、先端部が該ロールペーパーの先端部寄りの部位となるように、該トイレットペーパーホルダー取付部材あるいはトイレットペーパーホルダーに取付けられた支持板１２と、この支持板の先端部に形成あるいは取付けられた、前記ロールペーパーホルダーに取付けられたロールペーパーを所定量引き出した後に切断する切断刃１３とでトイレットペーパー切断具１を構成している。【選択図】図２
0003179337.tif 000002
【実用新案登録請求の範囲】
【請求項１】
トイレットペーパーホルダーに取付けられたロールペーパーの下端部より下部位置で、先端部が該ロールペーパーの先端部寄りの部位となるように、該トイレットペーパーホルダー取付部材あるいはトイレットペーパーホルダーに取付けられた支持板と、この支持板の先端部に形成あるいは取付けられた、前記ロールペーパーホルダーに取付けられたロールペーパーを所定量引き出した後に切断する切断刃とからなることを特徴とするトイレットペーパー切断具。
【請求項２】
支持板は後端部がＬ字状に折り曲げられ、複数本のビス、両面接着テープ、接着剤のいずれかでトイレットペーパーホルダー取付部材に取付けられるとともに、先端部に鋸歯状の切断刃あるいは表面に凹凸や複数個のスジが入ったクッションゴムやサンドぺーパーで形成した切断刃が固定されていることを特徴とする請求項１記載のトイレットペーパー切断具。
【考案の詳細な説明】
【技術分野】
【０００１】
本考案はトイレットペーパーホルダーに取付けられたロールペーパーを所定量引き出した後に切断する場合に使用されるトイレットペーパー切断具に関する。
【背景技術】
【０００２】
従来、トイレットペーパーホルダーに取付けられたロールペーパーは所定量引き出した後、カバーに形成された切断刃や、トイレットペーパーホルダーに設けられた切断刃で切断している。
【０００３】
しかしながら、カバーに形成された切断刃で切断すると、ロールペーパーの先端端部はカバーの切断刃の下面に位置した状態となるため、次に使用する場合、不衛生なカバーを上方へ押し上げ、ロールペーパーに密着した切断端部をつまんで引き出す作業を行なわなければならず、その作業が大変で、使用しずらいという欠点があった。
【０００４】
また、トイレットペーパーホルダーに切断刃を設けるものにあっては、ロールペーパーの先端端部とトイレとペーパーホルダーとの間に指を差し込む隙間がなく、次に使用する時に、ロールペーパーの先端部をスムーズにつまむことができず、使用しずらいという欠点があった。
【先行技術文献】
【特許文献】
【０００５】
【特許文献１】特開平６−３４３５７４号公報
【特許文献２】実開平５−５１１９２号公報
【考案の概要】
【考案が解決しようとする課題】
【０００６】
本考案は以上のような従来の欠点に鑑み、トイレットペーパーホルダーに取付けられたロールペーパーを所定量引き出して切断すると、ロールペーパーの外径部分の先端部より垂れ下がった状態でロールペーパーを切断することができ、次に使用する場合に、ロールペーパーより吊り下がった切断端部を簡単につまんで容易に引き出して切断使用することができる、安価で、容易に設置することができるトイレットペーパー切断具を提供することを目的としている。
【０００７】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００８】
上記目的を達成するために、本考案はトイレットペーパーホルダーに取付けられたロールペーパーの下端部より下部位置で、先端部が該ロールペーパーの先端部寄りの部位となるように、該トイレットペーパーホルダー取付部材あるいはトイレットペーパーホルダーに取付けられた支持板と、この支持板の先端部に形成あるいは取付けられた、前記ロールペーパーホルダーに取付けられたロールペーパーを所定量引き出した後に切断する切断刃とでトイレットペーパー切断具を構成している。
【考案の効果】
【０００９】
以上の説明から明らかなように、本考案にあっては次に列挙する効果が得られる。
（１）請求項１により、トイレットペーパーホルダーに取付けられたロールペーパーを所定量引き出し、切断刃で切断するとロールペーパー側の切断端部はロールペーパーの突出端部より下方へ吊り下がった状態で切断することができる。
したがって、次に使用する場合、支持板とロールペーパー間に指を挿入して吊り下がっているロールペーパーの先端部をつまんで、所定量引き出して切断使用することができる。
このため、ロールペーパーの先端端部を直接つまむことができ、従来のように不衛生なカバーを触ることなく使用することができる。
（２）前記（１）により、トイレットペーパーホルダーに取付けられているロールペーパーの下部位置に切断刃と先端部に設けられた支持板を設けるだけでよいので、構造が簡単で、容易に設置することができる。
（３）請求項２も前記（１）、（２）と同様な効果が得られる。
【図面の簡単な説明】
【００１０】
【図１】本考案を実施するための第１の形態の正面図。
【図２】本考案を実施するための第１の形態の側面図。
【図３】本考案を実施するための第１の形態の使用状態の説明図。
【図４】本考案を実施するための第２の形態の正面図。
【図５】本考案を実施するための第２の形態の側面図。
【図６】本考案を実施するための第２の形態の使用状態の説明図。
【図７】本考案を実施するための第３の形態の正面図。
【図８】本考案を実施するための第３の形態の側面図。
【図９】本考案を実施するための第３の形態の使用状態の説明図。
【図１０】本考案を実施するための第４の形態の正面図。
【図１１】本考案を実施するための第４の形態の側面図。
【図１２】本考案を実施するための第３の形態の使用状態の説明図。
【考案を実施するための形態】
【００１１】
以下、図面に示す本考案を実施するための形態により、本考案を詳細に説明する。
【００１２】
図１ないし図３に示す本考案を実施するための第１の形態において、１はトイレットペーパーホルダー２の下部に位置するように取付けられた、該トイレットペーパーホルダー２に取付けられたロールペーパー３を所定量引き出した所で切断する本考案のトイレットペーパー切断具である。
【００１３】
前記トイレットペーパーホルダー２はトイレットペーパーホルダー取付部材としての壁面４に複数本のビス５等で取付けられたコ字状のトイレットペーパーホルダー本体６と、このトイレットペーパーホルダー本体６の両側壁７、７の内面ほぼ中央部に取付けられた、水平状態で停止し、上方へ回動することができる一対のロールペーパー支持アーム８、８と、前記トイレットペーパーホルダー本体６の両側壁７、７の後部上方に枢支ピン９で後端部が枢支された、前記ロールペーパー３の上部を覆うカバー１０とで構成されている。
【００１４】
前記トイレットペーパー切断具１は、前記トイレットペーパーホルダー２の下部位置の壁面４に複数本のビス１１や両面接着テープ、接着剤等で取付けられた先端部が、該トイレットペーパーホルダー２の先端部とほぼ同じ位置まで突出する支持板１２と、この支持板１２の先端部に鋸歯状の刃部１３ａが突出するように接着固定された切断刃１３とで構成されている。
【００１５】
このようにトイレットペーパーホルダー２の下部位置にトイレットペーパー切断具１を配置すると、トイレットペーパーホルダー２に取付けられたロールペーパー３の先端部を所定量引き出し、トイレットペーパー切断具１の切断刃１３で切断して、使用する。
【００１６】
この時、切断されたロールペーパー側の端部は、図２および図３に示すようにロールペーパー３の前方への突出端部３ａよりトイレットペーパー切断具１の切断刃１３まで垂れ下がった状態となる。
【００１７】
このため、次に使用する場合には、垂れ下がったロールペーパー３の切断端部を指先でつまんでトイレットペーパーホルダー２より容易に所定量引き出すことができる。
【００１８】
[考案を実施するための異なる形態]
次に、図４ないし図１２に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１９】
図４ないし図６に示す本考案を実施するための第２の形態において、前記本考案を実施するための第１の形態と主に異なる点は、ロールペーパー３を常時伸張する軸１４を用いて回転可能に取付けることができるトイレットペーパーホルダー２Ａのトイレットペーパーホルダー本体６Ａの背面板６ｂに一体形成した先端部に切断刃１３を設けた支持板１２を用いた点で、このようにトイレットペーパーホルダー２Ａと一体形成したトイレットペーパー切断具１Ａにしても、前記本考案を実施するための第１の形態と同様な作用効果が得られる。
【００２０】
図７ないし図９に示す本考案を実施するための第３の形態において、前記本考案を実施するための第１の形態と主に異なる点は、支持板１２の先端部に鋸歯状の切断刃１３Ａを形成した点で、このように支持板１２の先端部に切断刃１３Ａを形成したトイレットペーパー切断具１Ｂにしても、前記本考案を実施するための第１形態と同様な作用効果が得られる。
【００２１】
図１０ないし図１２に示す本考案を実施するための第４の形態において、前記本考案を実施するための第１の形態と主に異なる点は、カバー１０の先端部寄りの内壁面にロールペーパー３の回転を制御するゴムシートや重りの回転制御具１５を取付けたトイレットペーパーホルダー２の下部位置にトイレットペーパー切断具１を取付けた点で、このように構成することにより、トイレットペーパーホルダー２より所定量のロールペーパー３を引き出し、切断刃１３で切断する時に、ロールペーパー３側のロールペーパー３はカバー１０の回転制御具１５によって回転が制御されているので、よりスムーズに切断することができる。
【００２２】
なお、支持板１２の先端部に取り付ける切断刃として、表面に凹凸や複数個のスジが入ったクッションゴムやサンドぺーパー等で形成した切断刃を用いることにより、使用時に切断刃でけがをしたりするのを確実に防止することができる。
【産業上の利用可能性】
【００２３】
本考案はトイレットペーパーホルダーに取付けられたロールペーパーを所定量引き出した所で切断するトイレットペーパー切断具を製造する産業で利用される。
【符号の説明】
【００２４】
１、１Ａ、１Ｂ：トイレットペーパー切断具、
２、２Ａ：トイレットペーパーホルダー、
３：ロールペーパー、    ４：壁面、
５：ビス、
６、６Ａ：トイレットペーパーホルダー本体、
７：側壁、        ８：ロールペーパー支持アーム、
９：枢支ピン、      １０：カバー、
１１：ビス、        １２：支持板、
１３ａ：刃部、      １３、１３Ａ：切断刃、
１４：軸、        １５：回転制御具。
【図１】
0003179337.tif 000003
【図２】
0003179337.tif 000004
【図３】
0003179337.tif 000005
【図４】
0003179337.tif 000006
【図５】
0003179337.tif 000007
【図６】
0003179337.tif 000008
【図７】
0003179337.tif 000009
【図８】
0003179337.tif 000010
【図９】
0003179337.tif 000011
【図１０】
0003179337.tif 000012
【図１１】
0003179337.tif 000013
【図１２】
0003179337.tif 000014